(57)【要約】  アクティブ化された一以上のＳＰ−ＣＳＩ報告の非アクティブ化を適切に制御すること。本開示の一態様に係るユーザ端末は、上り共有チャネルを用いたセミパーシステントのチャネル状態情報（ＣＳＩ）報告に関する一以上の構成情報を受信する受信部と、前記一以上の構成情報にそれぞれ対応する一以上のセミパーシステントのＣＳＩ報告がアクティブ化される場合、下り制御情報（ＤＣＩ）に基づいて、前記アクティブ化されたセミパーシステントのＣＳＩ報告の少なくとも一つの非アクティブ化を制御する制御部と、を具備する。
2019234929.tif 000002
【特許請求の範囲】
【請求項１】
上り共有チャネルを用いたセミパーシステントのチャネル状態情報（ＣＳＩ）報告に関する一以上の構成情報を受信する受信部と、
前記一以上の構成情報にそれぞれ対応する一以上のセミパーシステントのＣＳＩ報告がアクティブ化される場合、下り制御情報（ＤＣＩ）に基づいて、前記アクティブ化されたセミパーシステントのＣＳＩ報告の少なくとも一つの非アクティブ化を制御する制御部と、を具備することを特徴とするユーザ端末。
【請求項２】
前記制御部は、前記ＤＣＩ内の第１のフィールド値が示す単一のセミパーシステントのＣＳＩ報告を非アクティブ化することを特徴とする請求項１に記載のユーザ端末。
【請求項３】
前記制御部は、前記ＤＣＩ内の第１のフィールド値が特定の値である場合、又は、前記第１のフィールド値がアクティブ化されていないセミパーシステントのＣＳＩ報告を示す場合、前記アクティブ化されたセミパーシステントのＣＳＩ報告の全てを非アクティブ化することを特徴とする請求項１又は請求項２に記載のユーザ端末。
【請求項４】
前記制御部は、前記ＤＣＩ内の第２のフィールド値が特定の値である場合、前記アクティブ化されたセミパーシステントのＣＳＩ報告の全てを非アクティブ化し、前記第２のフィールド値が前記特定の値ではない場合、前記ＤＣＩ内の第１のフィールド値に基づいて、前記アクティブ化されたセミパーシステントのＣＳＩ報告の一部を非アクティブ化することを特徴とする請求項１に記載のユーザ端末。
【請求項５】
前記制御部は、前記ＤＣＩに基づいて、前記ユーザ端末に設定される又はアクティブ化される一以上のコンポーネントキャリア又は一以上の帯域幅部分の少なくとも一部において、前記アクティブ化されたセミパーシステントのＣＳＩ報告の全てを非アクティブ化することを特徴とする請求項１に記載のユーザ端末。
【請求項６】
上り共有チャネルを用いたセミパーシステントのチャネル状態情報（ＣＳＩ）報告に関する一以上の構成情報を受信する工程と、
前記一以上の構成情報にそれぞれ対応する一以上のセミパーシステントのＣＳＩ報告がアクティブ化される場合、下り制御情報（ＤＣＩ）に基づいて、前記アクティブ化されたセミパーシステントのＣＳＩ報告の少なくとも一つの非アクティブ化を制御する工程と、を具備することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）においては、ユーザ端末（ＵＥ：User  Equipment）が基地局に対して、周期的及び／又は非周期的にチャネル状態情報（ＣＳＩ：Channel  State  Information）を報告する。ＵＥは、上り制御チャネル（ＰＵＣＣＨ：Physical  Uplink  Control  Channel）又は上り共有チャネル（ＰＵＳＣＨ：Physical  Uplink  Shared  Channel）を用いて、ＣＳＩを報告する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＬＴＥ  Ｒｅｌ．１４、１５以降、５Ｇ、５Ｇ＋、ＮＲなど）では、周期的な（periodic）ＣＳＩ報告、非周期的な（aperiodic）ＣＳＩ報告に加えて、セミパーシステント（Semi-Persistent）（半持続的、半永続的）のＣＳＩ報告をサポートすることが検討されている。【０００７】
当該セミパーシステントのＣＳＩ報告（ＳＰ−ＣＳＩ報告）では、所定のトリガにより所定周期のＣＳＩの送信のアクティブ化（activate）及び非アクティブ化（deactivate）が制御される。例えば、ＰＵＳＣＨを用いたＳＰ−ＣＳＩ報告では、当該所定のトリガは、下り制御情報（ＤＣＩ：Downlink  Control  Information）であってもよい。また、単一のＤＣＩは、単一のＳＰ−ＣＳＩ報告をアクティブ化してもよい。【０００８】
しかしながら、あるタイミングにおいて一以上のＤＣＩそれぞれに対応する一以上のＳＰ−ＣＳＩ報告がアクティブ化される場合、アクティブ化された一以上のＳＰ−ＣＳＩ報告の非アクティブ化をどのように制御するかが問題となる。【０００９】
そこで、本開示は、アクティブ化された一以上のＳＰ−ＣＳＩ報告の非アクティブ化を適切に制御可能なユーザ端末及び無線通信方法を提供することを目的の１つとする。
【課題を解決するための手段】
【００１０】
本開示の一態様に係るユーザ端末は、上り共有チャネルを用いたセミパーシステントのチャネル状態情報（ＣＳＩ）報告に関する一以上の構成情報を受信する受信部と、前記一以上の構成情報にそれぞれ対応する一以上のセミパーシステントのＣＳＩ報告がアクティブ化される場合、下り制御情報（ＤＣＩ）に基づいて、前記アクティブ化されたセミパーシステントのＣＳＩ報告の少なくとも一つの非アクティブ化を制御する制御部と、を具備することを特徴とする。
【発明の効果】
【００１１】
本開示の一態様によれば、アクティブ化された一以上のＳＰ−ＣＳＩ報告の非アクティブ化を適切に制御できる。
【図面の簡単な説明】
【００１２】
【図１】図１は、複数のＳＰ−ＣＳＩ報告がアクティブである場合の一例が示される。
【図２】図２は、第１の態様に係る第１の非アクティブ化の制御の一例を示す図である。
【図３】図３Ａ及び３Ｂは、第１の態様に係る第２の非アクティブ化の制御の一例を示す図である。
【図４】図４Ａ及び４Ｂは、第１の態様に係る第３の非アクティブ化の制御の一例を示す図である。
【図５】図５Ａ及び５Ｂは、第２の態様に係る非アクティブ化の制御の一例を示す図である。
【図６】本実施の形態に係る無線通信システムの概略構成の一例を示す図である。
【図７】本実施の形態に係る無線基地局の全体構成の一例を示す図である。
【図８】本実施の形態に係る無線基地局の機能構成の一例を示す図である。
【図９】本実施の形態に係るユーザ端末の全体構成の一例を示す図である。
【図１０】本実施の形態に係るユーザ端末の機能構成の一例を示す図である。
【図１１】本実施の形態に係る無線基地局及びユーザ端末のハードウェア構成の一例を示す図である。
【発明を実施するための形態】
【００１３】
将来の無線通信システム（例えば、ＮＲ、Ｒｅｌ．１５以降）では、ユーザ端末は、チャネル状態情報（ＣＳＩ：Channel  State  Information）を無線基地局に報告（report）する。ユーザ端末は、例えば、ＵＥ（User  Equipment）等と呼ばれてもよい。また、無線基地局は、例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい。
【００１４】
ＣＳＩは、所定の参照信号（又は、当該参照信号用のリソース）を用いて測定される。当該所定の参照信号（当該参照信号用リソース）は、例えば、チャネル状態情報参照信号（ＣＳＩ−ＲＳ：Channel  State  Information-Reference  Signal）、ＣＳＩ−ＲＳリソース、同期信号／ブロードキャストチャネル（ＳＳ／ＰＢＣＨ：Synchronization  Signal/Physical  Broadcast Channel）ブロック等であってもよい。
【００１５】
ＣＳＩ−ＲＳリソースは、非ゼロパワー（ＮＺＰ：Non  Zero  Power）ＣＳＩ−ＲＳリソース及びＣＳＩ−ＩＭ（Interference  Management）リソースの少なくとも一つを含んでもよい。また、ＳＳ／ＰＢＣＨブロックは、プライマリ同期信号（ＰＳＳ：Primary  Synchronization  Signal）、セカンダリ同期信号（ＳＳＳ：Secondary  Synchronization  Signal）及びＰＢＣＨを含むブロックであり、ＳＳブロック等とも呼ばれる。
【００１６】
ＣＳＩは、チャネル品質識別子（ＣＱＩ：Channel  Quality  Indicator）、プリコーディング行列識別子（ＰＭＩ：Precoding  Matrix  Indicator）、ＣＳＩ−ＲＳリソース識別子（ＣＲＩ：CSI-RS  resource  indicator）、レイヤ識別子（ＬＩ：layer  indication）、ランク識別子（ＲＩ：Rank  Indication）、物理レイヤ（Ｌ１）の参照信号受信電力（Ｌ１−ＲＳＲＰ：Reference  Signal  Received  Power）の少なくとも一つを含んでもよい。
【００１７】
ＣＳＩの報告方法としては、（１）周期的なＣＳＩ（Ｐ−ＣＳＩ：Periodic  CSI）報告、（２）非周期的なＣＳＩ（A−ＣＳＩ：Aperiodic  CSI）報告、（３）セミパーシステント（Semi-Persistent）（半永続的、半持続的）なＣＳＩ（ＳＰ−ＣＳＩ：Semi-Persistent  CSI）報告などが検討されている。
【００１８】
ＳＰ−ＣＳＩ報告では、ＳＰ−ＣＳＩ報告用の周波数領域リソース及び時間領域リソースの少なくとも一つ（ＳＰ−ＣＳＩリソース等ともいう）が所定のトリガによりアクティブ化（activate、有効化、アクティベーション等ともいう）されると、当該ＳＰ−ＣＳＩリソースが非アクティブ化（deactivate、非有効化、ディアクティベーション等ともいう）されるまで、当該ＳＰ−ＣＳＩリソースを周期的に利用できる。
【００１９】
ＳＰ−ＣＳＩリソースの割り当て情報は、上位レイヤシグナリング及び物理レイヤシグナリング（例えば、下り制御情報（ＤＣＩ：Downlink  Control  Information））の少なくとも一つにより、無線基地局からユーザ端末に送信されてもよい。
【００２０】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２１】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００２２】
ユーザ端末には、ＳＰ−ＣＳＩ報告に関する一以上の構成情報が無線基地局から通知（例えば、上位レイヤシグナリングにより設定（configure））されてもよい。当該構成情報は、ＣＳＩ報告構成（CSI-ReportConfig）、ＰＵＳＣＨを用いるＳＰ−ＣＳＩ報告のトリガ状態、当該トリガ状態のリスト（CSI-SemiPersistentOnPUSCH-TriggerStateList）、ＳＰ−ＣＳＩ報告構成、トリガ状態、報告構成（report  configuration）、報告設定（report  setting）等と呼ばれてもよい。
【００２３】
各ＣＳＩ報告構成（CSI-ReportConfig）は、構成ＩＤ（CSI-ReportConfigId）、報告タイプ（例えば、ＳＰ−ＣＳＩ、Ａ−ＣＳＩ、Ｐ−ＣＳＩなど）、ＳＰ−ＣＳＩの報告周期（ReportPeriodicity）、オフセット（ReportSlotOffset）、どの参照信号（又はリソース）を用いて測定されたＳＰ−ＣＳＩを報告するか示す情報（CSI-ResourceConfigId）の少なくとも一つを含んでもよい。
【００２４】
ユーザ端末は、第１のトリガ（アクティベーション（activation）信号）を受信した場合に、所定の参照信号（又は、当該参照信号用のリソース）を用いたＳＰ−ＣＳＩの測定及びＳＰ−ＣＳＩリソースを用いたＳＰ−ＣＳＩ報告の少なくとも一つを周期的に行うことができる。ユーザ端末は、第２のトリガ（ディアクティベーション（deactivation）信号）を受信した場合又は所定のタイマーが満了した場合、ＳＰ−ＣＳＩの測定及ＳＰ−ＣＳＩ報告の少なくとも一つを停止してもよい。
【００２５】
ＳＰ−ＣＳＩ報告は、プライマリセル（ＰＣｅｌｌ：Primary  Cell）、プライマリセカンダリセル（ＰＳＣｅｌｌ：Primary  Secondary  Cell）、ＰＵＣＣＨセカンダリセル（PUCCH  SCell）、その他のセル（例えば、セカンダリセル（Secondary  Cell））などを用いて送信されてもよい。
【００２６】
ＳＰ−ＣＳＩ報告のアクティベーション／ディアクティベーション信号は、例えば、ＭＡＣシグナリング（例えば、ＭＡＣ  ＣＥ）を用いて通知されてもよいし、物理レイヤシグナリング（例えば、下り制御情報（ＤＣＩ：Downlink  Control  Information））を用いて通知されてもよい。
【００２７】
なお、ＳＰ−ＣＳＩ報告は、ＰＵＣＣＨ及びＰＵＳＣＨのいずれか一方又は両方を用いて送信されてもよい。いずれを用いて送信するかは、ＲＲＣシグナリングによってｇＮＢからユーザ端末に設定されてもよいし、ＭＡＣ  ＣＥなどで指定されてもよいし、ＤＣＩによって通知されてもよい。
【００２８】
ＳＰ−ＣＳＩ報告を行うチャネルは、ＳＰ−ＣＳＩ報告のアクティベーション信号に基づいて判断されてもよい。例えば、ＰＵＣＣＨを用いるＳＰ−ＣＳＩ報告（「ＰＵＣＣＨベースＳＰ−ＣＳＩ報告」と呼ばれてもよい）は、ＭＡＣ  ＣＥによってアクティブ化されてもよいし、ＰＵＳＣＨを用いるＳＰ−ＣＳＩ報告（「ＰＵＳＣＨベースＳＰ−ＣＳＩ報告」と呼ばれてもよい）は、ＤＣＩによってアクティブ化（トリガ）されてもよい。
【００２９】
ＳＰ−ＣＳＩ報告用のＤＣＩは、ＳＰ−ＣＳＩ報告用の無線ネットワーク一時識別子（ＲＮＴＩ：Radio  Network  Temporary  Identifier）によって巡回冗長検査（ＣＲＣ：Cyclic  Redundancy  Check）ビットがマスキング（スクランブル）（ＣＲＣスクランブル）されたＤＣＩであってもよい。ＳＰ−ＣＳＩ報告用のＲＮＴＩは、ＳＰ−ＣＳＩ−ＲＮＴＩ（Semi-Persistent  CSI  RNTI）、ＳＰ−ＣＳＩ  Ｃ−ＲＮＴＩ（SP-CSI  Cell-RNTI）、ＣＳＩ−ＲＮＴＩ等とも呼ばれる。
【００３０】
ユーザ端末は、特定のＲＮＴＩ（例えば、ＳＰ−ＣＳＩ−ＲＮＴＩ）でＣＲＣスクランブルされるＤＣＩ（例えば、ＤＣＩフォーマット０＿１）の特定のフィールドが予め定められた値である場合に、当該ＤＣＩがＳＰ−ＣＳＩ報告（例えば、ＰＵＳＣＨベースＳＰ−ＣＳＩ報告）のアクティブ化又は非アクティブ化に用いられると想定してもよい。
【００３１】
例えば、ユーザ端末は、以下を満たすＤＣＩをＳＰ−ＣＳＩ報告のアクティブ化用ＤＣＩであると想定してもよい：
・ＨＡＲＱ（Hybrid  Automatic  Repeat  reQuest）プロセス番号（ＨＰＮ：HARQ  Process  Number）フィールドが全て‘０’に設定される。
・冗長バージョン（ＲＶ：Redundancy  Version）フィールドが‘００’に設定される。
【００３２】
ユーザ端末は、以下を満たすＤＣＩフォーマット０＿１を、ＳＰ−ＣＳＩ報告の非アクティブ化用ＤＣＩであると想定してもよい：
・ＨＰＮフィールドが全て‘０’に設定される。
・変調及び符号化方式（ＭＣＳ：Modulation  and  Coding  Scheme）フィールドが全て‘１’に設定される。
・周波数領域リソース（例えば、リソースブロック（ＰＲＢ：Physical  Resource  Block））の割り当て（リソース割り当て（ＲＡ：Resource  Assignment））フィールドが、（１）上位レイヤがＲＡタイプ０のみを設定する場合に、全て‘０’に設定される、（２）上位レイヤがＲＡタイプ１のみを設定する場合に、全て‘１’に設定される、（３）上位レイヤがＲＡタイプ０及び１の動的スイッチを設定しかつ最上位ビット（ＭＳＢ：Most  Significant  Bit）が‘０’である場合に、全て‘０’に設定され、そうでない場合に、全て‘１’に設定される。
・ＲＶフィールドが‘００’に設定される。
【００３３】
上記アクティブ化用ＤＣＩは、上位レイヤシグナリングにより設定される１つ又は複数のトリガ状態（trigger  state）をアクティブ化してもよい。ここで、トリガ状態（ＳＰ−ＣＳＩトリガ状態）は、ＳＰ−ＣＳＩ報告に関するＣＳＩ報告構成に対応（associate）づけられてもよい。トリガ状態に対応付けられるＣＳＩ報告構成は、構成ＩＤ（CSI-ReportConfigId）によって識別されてもよい。
【００３４】
ユーザ端末は、アクティブ化用ＤＣＩに含まれる所定フィールド（例えば、ＣＳＩ要求フィールド）の値とトリガ状態との対応関係に基づいて、ＳＰ−ＣＳＩ報告のアクティブ化を制御してもよい。当該対応関係は、仕様によって定められてもよいし、上位レイヤシグナリング（例えば、ＲＲＣシグナリング）によって設定されてもよい。
【００３５】
例えば、ＣＳＩ要求フィールドのコードポイント（ビットによって示される値）は、それぞれ１又は複数のＣＳＩ報告構成に関連づけられてもよい。具体的には、ＣＳＩ要求フィールドのコードポイントは、当該ＣＳＩ報告構成の構成ＩＤ（CSI-ReportConfigId）を示してもよい。なお、当該コードポイントには、「ＣＳＩ要求がない」ことを示すコードポイントが含まれない構成としてもよい。
【００３６】
ＣＳＩ要求フィールドのサイズ（ビット数）は、上位レイヤシグナリング（例えば、ＲＲＣシグナリング）によって設定されるＣＳＩ要求フィールドのサイズ（「ReportTriggerSize」などと呼ばれてもよい）と同じであってもよい。当該設定されるＣＳＩ要求フィールドのサイズは、ＤＣＩフォーマット０＿１のためのＣＳＩ要求フィールドのサイズに対応してもよい。「ReportTriggerSize」は、例えば、任意のビット数（１、２、３、４、…）であってもよい。
【００３７】
なお、ＳＰ−ＣＳＩアクティベーションのためのＣＳＩ要求フィールドと、Ａ−ＣＳＩトリガのためのＣＳＩ要求フィールドと、は同じサイズであってもよい。ＳＰ−ＣＳＩのトリガ状態の数と、Ａ−ＣＳＩのトリガ状態の数と、は同じでもよいし、異なってもよい。
【００３８】
ところで、ＰＵＳＣＨベースＳＰ−ＣＳＩ報告において、複数のＣＳＩ報告構成（CSI-ReportConfig）にそれぞれ対応する複数のＳＰ−ＣＳＩ報告（複数のトリガ状態）が同時にアクティブであることが許容されてもよい。
【００３９】
図１は、複数のＳＰ−ＣＳＩ報告がアクティブである場合の一例が示される。例えば、図１では、ＣＳＩ要求フィールドのコードポイント“１”及び“２”がそれぞれＣＳＩ報告構成＃１及び＃２に対応する一例が示される。なお、図１に示される値、周期等は例示にすぎず、図示するものに限られない。
【００４０】
図１において、ユーザ端末は、下り制御チャネル（例えば、ＰＤＣＣＨ：Physical  Downlink  Control  Channel）の候補（candidate）（サーチスペース等ともいう）を監視（monitor、ブラインド復号等ともいう）して、特定のＲＮＴＩ（例えば、ＳＰ−ＣＳＩ−ＲＮＴＩ）でＣＲＣスクランブルされるＤＣＩ（例えば、ＤＣＩフォーマット０＿１）を検出する。
【００４１】
また、ユーザ端末は、当該ＤＣＩ内の所定フィールドの値に基づいて、当該ＤＣＩがアクティブ化用ＤＣＩであるか否かを決定してもよい。例えば、ユーザ端末は、当該ＤＣＩ内のＨＰＮフィールド値が全て‘０’に設定され、かつ、当該ＤＣＩ内のＲＶフィールドが ‘００’に設定される場合、当該ＤＣＩがアクティブ化用ＤＣＩであると決定してもよい。
【００４２】
ユーザ端末は、当該アクティブ化用ＤＣＩ内のＣＳＩ要求フィールドのコードポイントに対応するＳＰ−ＣＳＩ報告（ＣＳＩ報告構成、トリガ状態ともいう）をアクティブ化する。例えば、図１では、コードポイント“１”のＣＳＩ要求フィールドを含むＤＣＩにより、ＳＰ−ＣＳＩ報告＃１がアクティブ化される。同様に、コードポイント“２”のＣＳＩ要求フィールドを含むＤＣＩにより、ＳＰ−ＣＳＩ報告＃２がアクティブ化される。
【００４３】
上述のように、ＳＰ−ＣＳＩ報告＃１及び＃２は、それぞれ異なるＣＳＩ報告構成＃１及び＃２に対応する。ＣＳＩ報告構成＃１及び＃２は、それぞれ、ＳＰ−ＣＳＩの報告周期（ReportPeriodicity）（例えば、図１では、周期＃１及び＃２）、オフセット（ReportSlotOffset）、報告するＳＰ−ＣＳＩの測定用リソース（CSI-ResourceConfig）等を示す情報を含んでもよい。
【００４４】
図１において、ユーザ端末は、コードポイント“１”のＣＳＩ要求フィールドを含むＤＣＩによりスケジューリングされるＰＵＳＣＨを用いて、ＣＳＩ報告構成＃１で指定されるＣＳＩリソースを用いて測定されるＳＰ−ＣＳＩを周期＃１で送信する。
【００４５】
同様に、ユーザ端末は、コードポイント“２”のＣＳＩ要求フィールドを含むＤＣＩによりスケジューリングされるＰＵＳＣＨを用いて、ＣＳＩ報告構成＃２で指定されるＣＳＩリソーを用いて測定されるＳＰ−ＣＳＩを周期＃２で送信する。
【００４６】
なお、図１において、ＰＵＳＣＨに割り当てられる周波数領域リソース（Frequency  domain  resource）（例えば、一以上のリソースブロック（ＰＲＢ：Physical  Resource  Block））は、上記ＤＣＩの所定フィールド（例えば、周波数領域リソース割り当てフィールド）によって指定されてもよい。また、当該ＰＵＳＣＨに割り当てられる時間領域リソース（Time  domain  resource）（例えば、一以上のシンボル）は、上記ＤＣＩ内の所定フィールド（例えば、時間領域リソースフィールド）によって指定されてもよい。
【００４７】
このように、一以上のＣＳＩ報告構成（CSI-ReportConfig、トリガ状態、構成情報等ともいう）にそれぞれ対応する一以上のＳＰ−ＣＳＩ報告がアクティブ化される場合、当該一以上のＳＰ−ＣＳＩ報告の非アクティブ化をどのように制御するかが問題となる。
【００４８】
そこで、本発明者らは、非アクティブ化用ＤＣＩに基づいて、アクティブ化された一以上のＳＰ−ＣＳＩ報告の非アクティブ化を適切に制御する方法を検討し、本発明に至った。
【００４９】
以下、本実施の形態について、図面を参照して詳細に説明する。各態様は、それぞれ単独で適用されてもよいし、組み合わせて適用されてもよい。また、以下において、「ＳＰ−ＣＳＩ報告」とは、ＰＵＳＣＨベースＳＰ−ＣＳＩ報告を想定するが、これに限ら得ない。本実施の形態は、ＤＣＩを用いてアクティブ化又は非アクティブ化が制御されるどのようなＳＰ−ＣＳＩ報告にも適用可能である。
【００５０】
（第１の態様）
第１の態様では、ユーザ端末は、非アクティブ化用ＤＣＩに基づいて、アクティブ化された一以上のＳＰ−ＣＳＩ報告の少なくとも一つの非アクティブ化を制御する。
【００５１】
ここで、「ＳＰ−ＣＳＩ報告」のアクティブ化又は非アクティブ化は、「トリガ状態」、「ＣＳＩ報告構成」等のアクティブ化又は非アクティブ化と言い換えられてもよい。
【００５２】
また、非アクティブ化用ＤＣＩとは、アクティブ化されたＳＰ−ＣＳＩ報告の非アクティブ化に用いられるＤＣＩ（例えば、ＤＣＩフォーマット０＿１）である。非アクティブ化用ＤＣＩは、特定のＲＮＴＩ（例えば、ＳＰ−ＣＳＩ−ＲＮＴＩ）でＣＲＣスクランブルされてもよい。
【００５３】
ユーザ端末は、特定のＲＮＴＩによりＣＲＣスクランブルされるＤＣＩを検出する場合、当該ＤＣＩ内の所定フィールドの値に基づいて、当該ＤＣＩが非アクティブ化用ＤＣＩであるか否かを決定してもよい。上述の通り、ユーザ端末は、当該ＤＣＩ内のＨＰＮ値が全て‘０’に設定され、かつ、当該ＤＣＩ内のＲＶフィールドが‘００’に設定され、周波数領域リソースの割り当てフィールドが所定の値に設定される場合、当該ＤＣＩが非アクティブ化用ＤＣＩであると決定してもよい。
【００５４】
＜第１の非アクティブ化＞
第１の非アクティブ化では、単一の非アクティブ化用ＤＣＩが、単一のＳＰ−ＣＳＩ報告を非アクティブ化してもよい。
【００５５】
具体的には、ユーザ端末は、当該非アクティブ化用ＤＣＩ内のＣＳＩ要求フィールド（第１のフィールド）の値が示す単一のＣＳＩ報告構成を非アクティブ化してもよい。
【００５６】
図２は、第１の態様に係る第１の非アクティブ化の制御の一例を示す図である。なお、図２では、図１と同様に、ＣＳＩ報告構成＃１及び＃２にそれぞれ対応するＳＰ−ＣＳＩ報告＃１及び＃２がアクティブ化される場合が示される。以下では、図１との相違点を中心に説明する。
【００５７】
図２に示すように、ユーザ端末は、当該非アクティブ化用ＤＣＩ内のＣＳＩ要求フィールドのコードポイントに対応するＳＰ−ＣＳＩ報告を非アクティブ化してもよい。例えば、図２では、コードポイント“１”のＣＳＩ要求フィールドを含む非アクティブ化用ＤＣＩにより、ＳＰ−ＣＳＩ報告＃１が非アクティブ化される。同様に、コードポイント“２”のＣＳＩ要求フィールドを含む非アクティブ化用ＤＣＩにより、ＳＰ−ＣＳＩ報告＃２が非アクティブ化される。
【００５８】
第１の非アクティブ化では、非アクティブ化用ＤＣＩのＣＳＩ要求フィールドの値により、非アクティブ化するＳＰ−ＣＳＩ報告が明示されるので、ユーザ端末は、非アクティブ化するＳＰ−ＣＳＩ報告を容易に判別できる。
【００５９】
＜第２の非アクティブ化＞
第２の非アクティブ化では、単一の非アクティブ化用ＤＣＩが、一以上のＳＰ−ＣＳＩ報告（例えば、単一のＳＰ−ＣＳＩ報告又はアクティブ化された全てのＳＰ−ＣＳＩ報告）を非アクティブ化してもよい。
【００６０】
具体的には、ユーザ端末は、非アクティブ化用ＤＣＩ内のＣＳＩ要求フィールドの値が特定の値（例えば、‘０’）である場合、又は、前記ＣＳＩ要求フィールドの値がアクティブ化されていないＣＳＩ報告構成を示す場合、アクティブ化されたＣＳＩ報告構成の全てを非アクティブ化してもよい。
【００６１】
図３Ａ及び３Ｂは、第１の態様に係る第２の非アクティブ化の制御の一例を示す図である。なお、図３Ａ及び３Ｂでは、図１と同様に、ＣＳＩ報告構成＃１及び＃２にそれぞれ対応するＳＰ−ＣＳＩ報告＃１及び＃２がアクティブ化される場合が示される。以下では、図１との相違点を中心に説明する。
【００６２】
図３Ａに示すように、ユーザ端末は、検出した非アクティブ化用ＤＣＩ内のＣＳＩ要求フィールドの値が特定の値（例えば、‘０’）（ビット値が全て‘０’）である場合、アクティブ化されている全てのＳＰ−ＣＳＩ報告（ここでは、ＳＰ−ＣＳＩ報告＃１及び＃２）を非アクティブ化してもよい。
【００６３】
一方、図３Ｂに示すように、ユーザ端末は、検出した非アクティブ化用ＤＣＩ内のＣＳＩ要求フィールドの値が特定の値（例えば、‘０’）でない場合、当該ＣＳＩ要求フィールドのコードポイントに対応するＳＰ−ＣＳＩ報告を非アクティブ化してもよい。例えば、図３Ｂでは、ユーザ端末は、アクティブ化されているＳＰ−ＣＳＩ報告＃１及び＃２のうち、ＣＳＩ要求フィールドのコードポイント‘１’に対応するＳＰ−ＣＳＩ報告＃１を非アクティブ化してもよい。
【００６４】
また、当該ＣＳＩ要求フィールドのコードポイントに対応するＳＰ−ＣＳＩ報告がアクティブ化されていない場合、ユーザ端末は、アクティブ化されている全てのＳＰ−ＣＳＩ報告（ここでは、ＳＰ−ＣＳＩ報告＃１及び＃２）を非アクティブ化してもよい。
【００６５】
第２の非アクティブ化では、単一の非アクティブ化用ＤＣＩのＣＳＩ要求フィールドの値により、アクティブ化されている全ての又は一つのＳＰ−ＣＳＩ報告を非アクティブ化できるので、一以上のＳＰ−ＣＳＩ報告の非アクティブ化をより柔軟に制御できる。
【００６６】
＜第３の非アクティブ化＞
第３の非アクティブ化では、単一の非アクティブ化用ＤＣＩが、一以上のＳＰ−ＣＳＩ報告（例えば、単一のＳＰ−ＣＳＩ報告又はアクティブ化された全てのＳＰ−ＣＳＩ報告）を非アクティブ化してもよい。
【００６７】
具体的には、ユーザ端末は、非アクティブ化用ＤＣＩ内の特定のフィールド（第２のフィールド）が第１の値である場合、アクティブ化されたＳＰ−ＣＳＩ報告の全てを非アクティブ化し、特定のフィールドが第２の値である場合、前記非アクティブ化用ＤＣＩ内のＣＳＩ要求フィールド（第１のフィールド）の値に基づいて、前記アクティブ化されたＳＰ−ＣＳＩ報告の一部を非アクティブ化してもよい。
【００６８】
当該特定のフィールドは、例えば、以下の少なくとも一つのフィールドであればよい：
・ＰＵＳＣＨに対応するトランスポートチャネル（ＵＬ−ＳＣＨ：Uplink-Shared  Channel）の有無を示すフィールド（ＵＬ−ＳＣＨフィールド）、
・初回送信のデータであるか否かを示すフィールド（新規データ識別子（ＮＤＩ：New  Data  Indicator）フィールド）、
・第１のＤＡＩ（Downlink  Assignment  index）を示すフィールド（第１のＤＡＩフィールド）、
・サウンディング参照信号（ＳＲＳ：Sounding  Reference  Signal）を示すフィールド（ＳＲＳ識別子フィールド）、
・ＳＲＳの要求フィールド、一以上のコードブロック（ＣＢ：Code  Block）を含むコードブロックグループ（ＣＢＧ：Code  Block  Group）に関する情報を示すフィールド（ＣＢＧ送信情報（ＴＩ：Transmission  information）フィールド）、
・位相トラッキング参照信号（ＰＴＲＳ：Phase-tracking  reference  signal）と復調用参照信号（ＤＭＲＳ：Demodulation  Reference  Signal）との関連付け（association）を示すフィールド（ＰＴＲＳ−ＤＭＲＳ関連付けフィールド）。
【００６９】
図４Ａ及び４Ｂは、第１の態様に係る第３の非アクティブ化の制御の一例を示す図である。なお、図４Ａ及び４Ｂでは、図１と同様に、ＣＳＩ報告構成＃１及び＃２にそれぞれ対応するＳＰ−ＣＳＩ報告＃１及び＃２がアクティブ化される場合が示される。以下では、図１との相違点を中心に説明する。
【００７０】
また、図４Ａ及び４Ｂでは、上記非アクティブ化用ＤＣＩ内の特定のフィールドが、ＤＣＩフォーマット０＿１内のＵＬ−ＳＣＨフィールドである例を示すが、上述の通り、他のフィールドであってもよい。
【００７１】
図４Ａに示すように、ユーザ端末は、検出した非アクティブ化用ＤＣＩ内のＵＬ−ＳＣＨフィールドの値が第１の値（例えば、‘１’）である場合、アクティブ化されている全てのＳＰ−ＣＳＩ報告（ここでは、ＳＰ−ＣＳＩ報告＃１及び＃２）を非アクティブ化してもよい。
【００７２】
一方、図４Ｂに示すように、ユーザ端末は、検出した非アクティブ化用ＤＣＩ内のＵＬ−ＳＣＨフィールドの値が第２の値（例えば、‘０’）である場合、当該ＣＳＩ要求フィールドのコードポイントに対応するＳＰ−ＣＳＩ報告を非アクティブ化してもよい。例えば、図４Ｂでは、ユーザ端末は、アクティブ化されているＳＰ−ＣＳＩ報告＃１及び＃２のうち、ＣＳＩ要求フィールドのコードポイント‘１’に対応するＳＰ−ＣＳＩ報告＃１を非アクティブ化してもよい。
【００７３】
第３の非アクティブ化では、単一の非アクティブ化用ＤＣＩの特定のフィールドとＣＳＩ要求フィールドの組み合わせにより、アクティブ化されている全ての又は一つのＳＰ−ＣＳＩ報告を非アクティブ化できるので、一以上のＳＰ−ＣＳＩ報告の非アクティブ化をより柔軟に制御できる。
【００７４】
＜第４の非アクティブ化＞
第４の非アクティブ化では、アクティブ化されたＳＰ−ＣＳＩ報告の一部の非アクティブ化の制御について説明する。
【００７５】
具体的には、非アクティブ化用ＤＣＩ内のＣＳＩ要求フィールドのＣＳＩ要求フィールドの値が特定の値（例えば、‘０’）（ビット値が全て０）でない場合、ＣＳＩ要求フィールドのコードポイントに対応する複数のＳＰ−ＣＳＩ報告を非アクティブ化してもよい。上記第２の非アクティブ化では、ＣＳＩ要求フィールドの特定の値（例えば、‘０’）以外の値は、単一のＳＰ−ＣＳＩ報告に対応するものとしたが、一以上のＳＰ−ＣＳＩ報告に対応してもよい。
【００７６】
或いは、非アクティブ化用ＤＣＩ内の上記特定のフィールド（第３の非アクティブ化参照）の値が第２の値（例えば、‘０’）である場合、当該特定のフィールド以外の一以上のフィールドの組み合わせにより指定される複数のＣＳＩ報告構成を非アクティブ化してもよい。上記第３の非アクティブ化では、当該特定のフィールドの値が第２の値である場合、ＣＳＩ要求フィールドの値に対応する単一のＳＰ−ＣＳＩ報告を非アクティブ化するものとしたが、ＣＳＩ要求フィールドと他のフィールドの組み合わせにより指定される複数のＳＰ−ＣＳＩ報告を非アクティブ化してもよい。
【００７７】
第４の非アクティブ化制御では、単一の非アクティブ化用ＤＣＩの特定のフィールドとＣＳＩ要求フィールドの組み合わせにより、アクティブ化されている全ての又は一以上のＳＰ−ＣＳＩ報告を非アクティブ化できるので、一以上のＳＰ−ＣＳＩ報告の非アクティブ化をより柔軟に制御できる。
【００７８】
以上のように、第１の態様では、単一の非アクティブ化用ＤＣＩの所定フィールドにより、ＳＰ−ＣＳＩ報告単位でどのＳＰ−ＣＳＩ報告を非アクティブ化するかが指定されるので、一以上のＳＰ−ＣＳＩ報告の非アクティブ化を柔軟に制御できる。
【００７９】
（第２の態様）
第１の態様では、一以上のＳＰ−ＣＳＩ報告がアクティブ化される場合にＳＰ−ＣＳＩ報告単位で非アクティブ化を制御する例を説明した。第２の態様では、一以上のＳＰ−ＣＳＩ報告がアクティブ化される場合に、コンポーネントキャリア（ＣＣ：Component  Carrier）又は帯域幅部分（ＢＷＰ：Bandwidth  part）単位で非アクティブ化を制御する例について説明する。第２の態様では、第１の態様との相違点を中心に説明する。
【００８０】
第２の態様では、ユーザ端末は、非アクティブ化用ＤＣＩに基づいて、ユーザ端末に設定又はアクティブ化されるＣＣ又はＢＷＰの全て又は一つにおいて、アクティブ化される全てのＳＰ−ＣＳＩ構成を非アクティブ化してもよい。
【００８１】
ここで、ＣＣは、セル（ＰＣｅｌｌ、ＰＳＣｅｌｌ、ＳＣｅｌｌの少なくとも一つを含んでもよい）、サービングセル、システム帯域幅等とも呼ばれる。ユーザ端末に対しては一以上のＣＣが設定され、キャリアアグリゲーション又はデュアルコネクティビティが行われる。設定されたＣＣのうち、少なくとも一つのＣＣがアクティブ化されてもよい。
【００８２】
ＢＷＰは、ＣＣ内に設定される部分的な帯域である。１ＣＣ内には、一以上のＢＷＰが設定されてもよい。また、ＢＷＰは、上り用のＢＷＰ（上りＢＷＰ）と、下り用のＢＷＰ（下りＢＷＰ）とが含まれてもよい。ユーザ端末は、設定された一以上の下りＢＷＰのうち、少なくとも一つの下りＢＷＰをアクティブ化してもよい。また、ユーザ端末は、設定された一以上の上りＢＷＰのうち、少なくとも一つの上りＢＷＰをアクティブ化してもよい。
【００８３】
上述のＣＳＩ報告構成（CSI-ReportConfig、トリガ状態、構成情報等ともいう）は、ＣＣ又はＢＷＰに関連付けられてもよい。
【００８４】
図５Ａ及び５Ｂは、第２の態様に係る非アクティブ化の制御の一例を示す図である。なお、図５Ａ及び５Ｂでは、図１と同様に、ＣＳＩ報告構成＃１及び＃２にそれぞれ対応するＳＰ−ＣＳＩ報告＃１及び＃２がアクティブ化される場合が示される。以下では、図１との相違点を中心に説明する。
【００８５】
図５Ａに示すように、ユーザ端末は、非アクティブ化用ＤＣＩを検出すると、ユーザ端末に設定される（又はアクティブ化される）全てのＣＣ又は全てのＢＷＰにおいて、アクティブ化される全てのＳＰ−ＣＳＩ報告（ここでは、ＳＰ−ＣＳＩ報告＃１及び＃２）を非アクティブ化してもよい。
【００８６】
一方、図５Ｂに示すように、ユーザ端末は、非アクティブ化用ＤＣＩを検出すると、当該非アクティブ化用ＤＣＩ内のキャリア識別子（ＣＩ：Carrier  Indicator）フィールドが示すＣＣ、又は、当該非アクティブ化用ＤＣＩ内の帯域幅部分識別子（ＢＩ：Bandwidth  part  indicator）フィールドが示すＢＷＰにおいて、アクティブ化される全てのＣＳＩ報告構成（ここでは、ＣＳＩ報告構成＃１）を非アクティブ化してもよい。
【００８７】
例えば、図５Ｂでは、非アクティブ化用ＤＣＩ内のＣＩフィールドが示すＣＣ“ｘｘｘ”において、アクティブ化される全てのＳＰ−ＣＳＩ報告を非アクティブ化してもよい。或いは、非アクティブ化用ＤＣＩ内のＢＩフィールドが示すＢＷＰ“ｙｙｙ”において、アクティブ化される全てのＳＰ−ＣＳＩ報告を非アクティブ化してもよい。
【００８８】
以上のように、第１の態様では、単一の非アクティブ化用ＤＣＩの所定フィールドにより、どのＣＣ又はＢＷＰ単位のＳＰ−ＣＳＩ報告を非アクティブ化するかが指定されるので、一以上のＳＰ−ＣＳＩ報告の非アクティブ化を簡易に制御できる。
【００８９】
（その他の態様）
第１及び第２の態様は組み合わせについて説明する。第２の態様の図５Ｂでは、非アクティブ化用ＤＣＩ内のＣＩフィールドが示すＣＣ又はＢＩフィールドが示すＢＷＰにおいて、アクティブ化される全てのＳＰ−ＣＳＩ報告を非アクティブ化するものとしたが、これに限られない。
【００９０】
例えば、第２の態様の図５Ｂにおいて、第１の態様の第１〜第４の非アクティブ化を組み合わせることにより、ＣＩフィールドが示すＣＣ又はＢＩフィールドが示すＢＷＰにおいて、どのＳＰ−ＣＳＩ報告を非アクティブ化するかが、ＣＳＩ要求フィールドの値、上記特定のフィールド（第３の非アクティブ化参照）の値の少なくとも一つにより指定されてもよい。
【００９１】
（無線通信システム）
以下、本実施の形態に係る無線通信システムの構成について説明する。この無線通信システムでは、本開示の上記各実施形態に係る無線通信方法のいずれか又はこれらの組み合わせを用いて通信が行われる。
【００９２】
図６は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及びデュアルコネクティビティ（ＤＣ）の少なくとも一方を適用することができる。
【００９３】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００９４】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００９５】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００９６】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９７】
また、ユーザ端末２０は、各セルで、時分割複信（ＴＤＤ：Time  Division  Duplex）及び周波数分割複信（ＦＤＤ：Frequency  Division  Duplex）の少なくとも１つを用いて通信を行うことができる。また、各セル（キャリア）では、単一のニューメロロジーが適用されてもよいし、複数の異なるニューメロロジーが適用されてもよい。
【００９８】
ニューメロロジーとは、ある信号又はチャネルの送信及び受信の少なくとも一方に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【００９９】
例えば、ある物理チャネルについて、構成するＯＦＤＭシンボルのサブキャリア間隔及びＯＦＤＭシンボル数の少なくとも一方が異なる場合には、ニューメロロジーが異なると称されてもよい。
【０１００】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１０１】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１０２】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１０３】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１０４】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及びＯＦＤＭＡの少なくとも一方が適用される。
【０１０５】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１０６】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１０７】
下り制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及びＰＵＳＣＨの少なくとも一方のスケジューリング情報を含む下り制御情報（ＤＣＩ：Downlink  Control  Information）などが伝送される。
【０１０８】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１０９】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【０１１０】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１１１】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１１２】
＜無線基地局＞
図７は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１１３】
下りリンクによって無線基地局１０からユーザ端末２０に送信されるユーザデータは、上位局装置３０から伝送路インターフェース１０６を介してベースバンド信号処理部１０４に入力される。
【０１１４】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１１５】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１１６】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１１７】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１１８】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１９】
図８は、本実施の形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１２０】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１２１】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１２２】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１２３】
制御部３０１は、システム情報、下りデータ信号（例えば、下り共有チャネルを用いて送信される信号）、下り制御信号（例えば、下り制御チャネルを用いて送信される信号）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１２４】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１２５】
制御部３０１は、上りデータ信号（例えば、上り共有チャネルを用いて送信される信号）、上り制御信号（例えば、上り制御チャネルを用いて送信される信号）、ランダムアクセスプリアンブル、上り参照信号などのスケジューリングを制御する。
【０１２６】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１２７】
送信信号生成部３０２は、例えば、制御部３０１からの指示に基づいて、下りデータの割り当て情報を通知するＤＬアサインメント及び上りデータの割り当て情報を通知するＵＬグラントの少なくとも一方を生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１２８】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１２９】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１３０】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び受信処理後の信号の少なくとも一方を、測定部３０５に出力する。
【０１３１】
測定部３０５は、受信した信号に関する測定を実施する。測定部３０５は、本開示に係る技術分野での共通認識に基づいて説明される測定器、測定回路又は測定装置から構成することができる。
【０１３２】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１３３】
なお、送受信部１０３は、上り共有チャネルを用いたセミパーシステントのチャネル状態情報（ＣＳＩ）報告に関する一以上の構成情報を送信してもよい。送受信部１０３は、ユーザ端末２０から送信されたＣＳＩを受信してもよい。
【０１３４】
制御部３０１は、前記一以上の構成情報にそれぞれ対応する一以上のセミパーシステントのＣＳＩ報告がアクティブ化される場合、前記アクティブ化されたセミパーシステントのＣＳＩ報告の少なくとも一つの非アクティブ化を制御するＤＣＩの生成及び送信の少なくとも一つを制御してもよい。
【０１３５】
制御部３０１は、非アクティブ化するセミパーシステントのＣＳＩ報告を示す第１のフィールド値（例えば、ＣＳＩ要求フィールド、他のフィールドと組み合わせられてもよい）を含むＤＣＩの生成及び送信の少なくとも一つを制御してもよい。
【０１３６】
制御部３０１は、全てのセミパーシステントのＣＳＩ報告を非アクティブ化するか否かを示す第２のフィールド値（特定のフィールド）を含むＤＣＩの生成及び送信の少なくとも一つを制御してもよい。
【０１３７】
制御部３０１は、セミパーシステントのＣＳＩ報告を非アクティブ化するＣＣを示すＣＩフィールド及びＢＷＰを示すＢＷＰフィールドの少なくとも一つを含むＤＣＩの生成及び送信の少なくとも一つを制御してもよい。
【０１３８】
＜ユーザ端末＞
図９は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１３９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１４０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１４１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１４２】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１４３】
図１０は、本実施の形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１４４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１４５】
制御部４０１は、ユーザ端末２０全体の制御を実施する。制御部４０１は、本開示に係る技術分野での共通認識に基づいて説明されるコントローラ、制御回路又は制御装置から構成することができる。
【０１４６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１４７】
制御部４０１は、無線基地局１０から送信された下り制御信号、下りデータ信号などを、受信信号処理部４０４から取得する。制御部４０１は、下りデータ信号に対する再送制御の要否を判定した結果、下り制御信号などに基づいて、上り制御信号、上りデータ信号などの生成を制御する。
【０１４８】
制御部４０１は、無線基地局１０から通知された各種情報を受信信号処理部４０４から取得した場合、当該情報に基づいて制御に用いるパラメータを更新してもよい。
【０１４９】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１５０】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１５１】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１５２】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１５３】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び受信処理後の信号の少なくとも一方を、測定部４０５に出力する。
【０１５４】
測定部４０５は、受信した信号に関する測定を実施する。測定部４０５は、本開示に係る技術分野での共通認識に基づいて説明される測定器、測定回路又は測定装置から構成することができる。
【０１５５】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１５６】
なお、送受信部２０３は、上り共有チャネルを用いたセミパーシステントのチャネル状態情報（ＣＳＩ）報告に関する一以上の構成情報を受信してもよい。送受信部２０３は、無線基地局１０に対してＣＳＩを送信してもよい。
【０１５７】
制御部４０１は、前記一以上の構成情報にそれぞれ対応する一以上のセミパーシステントのＣＳＩ報告がアクティブ化される場合、下り制御情報（ＤＣＩ）に基づいて、前記アクティブ化されたセミパーシステントのＣＳＩ報告の少なくとも一つの非アクティブ化を制御してもよい。
【０１５８】
制御部４０１は、前記ＤＣＩ内の第１のフィールド値が示す単一のセミパーシステントのＣＳＩ報告を非アクティブ化してもよい。
【０１５９】
制御部４０１は、前記ＤＣＩ内の第１のフィールド値が特定の値である場合、又は、前記第１のフィールド値がアクティブ化されていないセミパーシステントのＣＳＩ報告を示す場合、前記アクティブ化されたセミパーシステントのＣＳＩ報告の全てを非アクティブ化してもよい。
【０１６０】
制御部４０１は、前記ＤＣＩ内の第２のフィールド値が特定の値である場合、前記アクティブ化されたセミパーシステントのＣＳＩ報告の全てを非アクティブ化し、前記第２のフィールド値が前記特定の値ではない場合、前記ＤＣＩ内の第１のフィールド値に基づいて、前記アクティブ化されたセミパーシステントのＣＳＩ報告の一部を非アクティブ化してもよい。
【０１６１】
制御部４０１は、前記ＤＣＩに基づいて、前記ユーザ端末に設定される又はアクティブ化される一以上のコンポーネントキャリア又は一以上の帯域幅部分の少なくとも一部において、前記アクティブ化されたセミパーシステントのＣＳＩ報告の全てを非アクティブ化してもよい。
【０１６２】
＜ハードウェア構成＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。
【０１６３】
例えば、本実施の形態における無線基地局、ユーザ端末などは、本開示の無線通信方法の処理を行うコンピュータとして機能してもよい。図１１は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６４】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１６５】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１６６】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１６７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１６８】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１６９】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１７０】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７１】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１７２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１７３】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１７４】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７５】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１７６】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１７７】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１７８】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１７９】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１８０】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１８１】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８２】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８３】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１８４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１８６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１８７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１８８】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１８９】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１９０】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１９１】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１９２】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１９３】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１９４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９５】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９６】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１９７】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９８】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１９９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２００】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２０２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２０６】
本開示において使用する「システム」及び「ネットワーク」という用語は、互換的に使用され得る。
【０２０７】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２０８】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２０９】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２１０】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１１】
基地局及び移動局の少なくとも一方は、送信装置、受信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。
【０２１２】
また、本開示における無線基地局は、ユーザ端末で読み替えてもよい。例えば、無線基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の無線基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２１３】
同様に、本開示におけるユーザ端末は、無線基地局で読み替えてもよい。この場合、上述のユーザ端末２０が有する機能を無線基地局１０が有する構成としてもよい。
【０２１４】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１５】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２１６】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２１７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１８】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２１９】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。
【０２２０】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２２１】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２２】
また、「判断（決定）」は、「想定する（assuming）」、「期待する（expecting）」、「みなす（considering）」などで読み替えられてもよい。
【０２２３】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２２４】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２２５】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２２６】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２２７】
本開示において、例えば、英語でのa,  an及びtheのように、翻訳によって冠詞が追加された場合、本開示は、これらの冠詞の後に続く名詞が複数形であることを含んでもよい。
【０２２８】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2019234929.tif 000003
【図２】
2019234929.tif 000004
【図３】
2019234929.tif 000005
【図４】
2019234929.tif 000006
【図５】
2019234929.tif 000007
【図６】
2019234929.tif 000008
【図７】
2019234929.tif 000009
【図８】
2019234929.tif 000010
【図９】
2019234929.tif 000011
【図１０】
2019234929.tif 000012
【図１１】
2019234929.tif 000013
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
上り共有チャネルを用いたセミパーシステントのチャネル状態情報（ＳＰ−ＣＳＩ）報告に関する構成情報を受信する受信部と、
前記ＳＰ−ＣＳＩ報告のディアクティベーション用下り制御情報（ＤＣＩ）を検出した場合、前記構成情報に対応する一以上のＳＰ−ＣＳＩ報告のうち、常に単一のＳＰ−ＣＳＩ報告をディアクティベーションするよう制御する、ここで、前記単一のＳＰ−ＣＳＩ報告は、前記ＤＣＩ内のＣＳＩ要求フィールドの値に対応する、制御部と、を具備することを特徴とする端末。
【請求項２】
上り共有チャネルを用いたセミパーシステントのチャネル状態情報（ＳＰ−ＣＳＩ）報告に関する構成情報を受信する工程と、
前記ＳＰ−ＣＳＩ報告のディアクティベーション用下り制御情報（ＤＣＩ）を検出した場合、前記構成情報に対応する一以上のＳＰ−ＣＳＩ報告のうち、常に単一のＳＰ−ＣＳＩ報告をディアクティベーションするよう制御する、ここで、前記単一のＳＰ−ＣＳＩ報告は、前記ＤＣＩ内のＣＳＩ要求フィールドの値に対応する、工程と、を具備することを特徴とする端末の無線通信方法。
【請求項３】
上り共有チャネルを用いたセミパーシステントのチャネル状態情報（ＳＰ−ＣＳＩ）報告に関する構成情報を送信する送信部と、
前記構成情報に対応する一以上のＳＰ−ＣＳＩ報告のうち、常に単一のＳＰ−ＣＳＩ報告をディアクティベーションするための、ＣＳＩ要求フィールドを含む前記ＳＰ−ＣＳＩ報告のディアクティベーション用下り制御情報（ＤＣＩ）の送信を制御する制御部と、を具備することを特徴とする基地局。
【請求項４】
基地局と端末とを具備するシステムであって、
前記基地局は、上り共有チャネルを用いたセミパーシステントのチャネル状態情報（ＳＰ−ＣＳＩ）報告に関する構成情報を送信する送信部と、
前記構成情報に対応する一以上のＳＰ−ＣＳＩ報告のうち、常に単一のＳＰ−ＣＳＩ報告をディアクティベーションするための、ＣＳＩ要求フィールドを含む前記ＳＰ−ＣＳＩ報告のディアクティベーション用下り制御情報（ＤＣＩ）の送信を制御する制御部と、を具備し、
前記端末は、前記構成情報を受信し、
前記ＤＣＩを検出した場合、前記一以上のＳＰ−ＣＳＩ報告のうち、常に前記単一のＳＰ−ＣＳＩ報告をディアクティベーションするよう制御する、ここで、前記単一のＳＰ−ＣＳＩ報告は、前記ＤＣＩ内の前記ＣＳＩ要求フィールドの値に対応する、制御部と、を具備するシステム。
【手続補正３】
【補正対象書類名】明細書
【補正対象項目名】００１０
【補正方法】変更
【補正の内容】
【００１０】
本開示の一態様に係る端末は、上り共有チャネルを用いたセミパーシステントのチャネル状態情報（ＳＰ−ＣＳＩ）報告に関する構成情報を受信する受信部と、前記ＳＰ−ＣＳＩ報告のディアクティベーション用下り制御情報（ＤＣＩ）を検出した場合、前記構成情報に対応する一以上のＳＰ−ＣＳＩ報告のうち、常に単一のＳＰ−ＣＳＩ報告をディアクティベーションするよう制御する、ここで、前記単一のＳＰ−ＣＳＩ報告は、前記ＤＣＩ内のＣＳＩ要求フィールドの値に対応する、制御部と、を具備することを特徴とする。
【国際調査報告】
2019234929.tif 000014
2019234929.tif 000015